(57)【特許請求の範囲】
【請求項１】
内壁の厚みよりも幅狭の枠材を、前記内壁の端面に取り付けた内壁の端部構造であって、
前記枠材には、その幅方向の両端面に長手方向に延びる切溝を形成し、
前記内壁の端面には、前記内壁における厚み方向の外側に張り出さないように、前記内壁を構成している壁下地材に前記枠材を固定し、
一対の張出片が、略９０度の角度をなすように相互に連設された長尺のコーナー下地材を、その一方の張出片を前記枠材の前記切溝に嵌入すると共に他方の張出片を、前記壁下地材を構成している下地ボードの表面に重ね合わせた状態で、前記壁下地材に固着することで、前記枠材の両側に内壁のコーナー部をそれぞれ形成し、
幅木または廻り縁の端部表面を覆うカバー部と、前記枠材の前記切溝に嵌入される板状部とが、略９０度の角度をなすように相互に連設されたコーナーパーツを、そのカバー部に幅木または廻り縁の端部を接着固定した状態で、前記板状部を前記枠材の前記切溝に嵌入して、前記コーナー下地材に被せると共に、前記コーナーパーツに接着固定された幅木または廻り縁を前記下地ボードに固定し、
前記下地ボードから前記コーナー下地材にわたって壁仕上材を貼着したことを特徴とする内壁の端部構造。
【請求項２】
請求項１に記載の内壁の端部構造を構成しているコーナーパーツ。
【請求項３】
前記カバー部との間に幅木の端部を挟み込む羽根部材と、
前記羽根部材の基端部を前記カバー部に連結するリブと
を備えている請求項２に記載のコーナーパーツ。
【請求項４】
前記羽根部材には、幅木または廻り縁と接触する面に複数の溝または凹部が形成されている請求項３に記載のコーナーパーツ。
【請求項５】
前記羽根部材が、前記カバー部から幅木または廻り縁の延出方向に張り出しており、その張出部分に複数の前記溝または前記凹部が形成されている請求項４に記載のコーナーパーツ。
【請求項６】
前記カバー部の前面に横方向に延びる窪み部が形成されており、その窪み部に前記リブが連結されている請求項３、４または５に記載のコーナーパーツ。
【発明の詳細な説明】
【技術分野】
【０００１】
この発明は、無目枠、開口枠、ドア枠、窓枠、引戸枠等の枠材が取り付けられる内壁の
端部構造及びその端部構造を構成している幅木や周り縁のコーナーパーツに関する。
【背景技術】
【０００２】
例えば、ドアや窓を取り付ける内壁の壁面開口部には、内壁の端面にドア枠や窓枠等の枠材を取り付けることになるが、これまでは、図１４に示すように、枠材６０の幅を内壁５０の壁厚より大きくすることで、枠材６０を内壁５０の外側に僅かに突出させるのが一般的であったが、近年は、壁面の凹凸をできるだけ少なくして、すっきりしたイメージを与えたいという要望があり、図１５に示すように、内壁５０の壁厚よりも幅狭の枠材６０を、内壁５０の外側に突出させないように、内壁５０の端面に取り付けた内壁の端部構造が採用されるようになってきている。
【０００３】
こういった内壁の端部構造を採用する場合は、同図に示すように、内壁５０の端面を形成している壁下地材５１の柱（間柱）５２に枠材６０を取り付けると共に、内壁５０の端面側における枠材６０の外側部分にも下地ボード５３を張り、内壁５０の端面側に回り込むように、クロス等の壁仕上材５４を下地ボード５３に貼着することになるが、建築物を構成している内壁等の構造体は、必ずしも、精度良く施工されるわけではないので、壁面開口部等を形成している内壁の端面（枠材６０を固定する壁下地材５１の柱（間柱）５２の固定面）が水平や垂直になっていなかったり、波打っていたりすることが多く、そのような場合は、図１６に示すように、枠材６０と内壁５０の端面との間に部分的に隙間Ｇが形成され、その隙間Ｇの大きさも位置によって異なることになる。
【０００４】
従って、枠材６０を設置する際は、壁面開口部等を形成している内壁５０の端面（壁下地材５１の柱（間柱）５２）とドア枠等の枠材６０との間に隙間調整部材を適宜挿入することによって、枠材６０の位置調整を行いながら、内壁５０の端面（壁下地材５１の柱（間柱）５２）に枠材６０を固定していくことになるので、図１７（ａ）に示すように、隙間調整部材６１を挿入している箇所と、同図（ｂ）に示すように、隙間調整部材を挿入していない箇所とでは、内壁５０の端面からの枠材６０の突出量Ｌが異なっており、体裁が悪いといった問題がある。
【０００５】
そこで、本願出願人は、図１８に示すように、幅方向の両端面に長手方向に延びる切溝８０ａを形成した枠材８０を、内壁７０における厚み方向の外側に張り出さないように、内壁７０の端面を形成している壁下地材７１の真柱７２に固定し、一対の張出片７５、７５が、略９０度の角度をなすように相互に連設された長尺のコーナー下地材７４を、その一方の張出片７５を枠材８０の切溝８０ａに嵌入すると共に他方の張出片７５を、壁下地材７１を構成している下地ボード７３の表面に重ね合わせた状態で、下地ボード７３に固着することによって、枠材８０の両側に内壁７０のコーナー部をそれぞれ形成し、下地ボード７３からコーナー下地材７４にわたって壁仕上材７６を貼着することで、内壁７０の端面からの枠材８０の突出量を一定に保持する内壁の端部構造を、特願２０１０−０７４５６１において提案している。
【先行技術文献】
【特許文献】
【０００６】
【特許文献１】実用新案登録第２５１９１３７号公報
【発明の概要】
【発明が解決しようとする課題】
【０００７】
ところで、こういった内壁の端部構造の場合も、幅木を取り付けようとすると、図１９に示すように、枠材８０を取り付ける内壁７０における端面のコーナー部に対して、内側がコーナー下地材７４の湾曲した角部に沿うように湾曲した専用のコーナーパーツ９２を装着する必要があるが、枠材８０と内壁７０のコーナー部との間に十分な距離を確保することができないので、内壁７０の端面側に取り付ける短い幅木９１については、寸法調整や位置調整をして取り付けなければならず、幅木９１やコーナーパーツ９２の取り付けに手間がかかるといった問題がある。
【０００８】
また、コーナー下地材７４によって内壁７０の端面が枠材８０の切溝８０ａ部分まで張り出しており、内壁７０の端面側に重ね合わせた状態で配設される幅木９１自体がある程度の厚みを有しているので、内壁７０の端面側のコーナーパーツ９２の表面が枠材８０の表面近くまで張り出すことになり、すっきりしたイメージを与えることができないという問題もある。
【０００９】
また、上述したように、内壁７０の端面側のコーナーパーツ９２の表面が枠材８０の表面近くまで張り出しているので、同図に示すように、枠材８０がドア枠であって、コーナーパーツ９２と略同レベルに設置されるピボットヒンジＰＨを介して、ドアＤを枠材８０に取り付ける場合は、ピボットヒンジＰＨのアームがコーナーパーツ９２に当接して、ドアＤを１８０度開くことができないといった問題もある。
【００１０】
そこで、この発明の課題は、施工が容易で、すっきりしたイメージを与えることができ、ピボットヒンジでドアを枠材に取り付ける場合であっても、ドアを１８０度開くことができる内壁の端部構造及びコーナーパーツを提供することにある。
【課題を解決するための手段】
【００１１】
上記の課題を解決するため、請求項１に係る発明は、内壁の厚みよりも幅狭の枠材を、前記内壁の端面に取り付けた内壁の端部構造であって、前記枠材には、その幅方向の両端面に長手方向に延びる切溝を形成し、前記内壁の端面には、前記内壁における厚み方向の外側に張り出さないように、前記内壁を構成している壁下地材に前記枠材を固定し、一対の張出片が、略９０度の角度をなすように相互に連設された長尺のコーナー下地材を、その一方の張出片を前記枠材の前記切溝に嵌入すると共に他方の張出片を、前記壁下地材を構成している下地ボードの表面に重ね合わせた状態で、前記壁下地材に固着することで、前記枠材の両側に内壁のコーナー部をそれぞれ形成し、幅木または廻り縁の端部表面を覆うカバー部と、前記枠材の前記切溝に嵌入される板状部とが、略９０度の角度をなすように相互に連設されたコーナーパーツを、そのカバー部に幅木または廻り縁の端部を接着固定した状態で、前記板状部を前記枠材の前記切溝に嵌入して、前記コーナー下地材に被せると共に、前記コーナーパーツに接着固定された幅木または廻り縁を前記下地ボードに固定し、前記下地ボードから前記コーナー下地材にわたって壁仕上材を貼着したことを特徴とする内壁の端部構造を提供するものである。
【００１２】
また、上記の課題を解決するため、請求項２に係る発明は、請求項１に記載の内壁の端部構造を構成しているコーナーパーツを提供するものである。
【００１３】
また、請求項３に係る発明は、請求項２に係る発明のコーナーパーツにおいて、前記カバー部との間に幅木の端部を挟み込む羽根部材と、前記羽根部材の基端部を前記カバー部に連結するリブとを備えていることを特徴としている。
【００１４】
また、請求項４に係る発明は、請求項３に係る発明のコーナーパーツにおいて、前記羽根部材には、幅木または廻り縁と接触する面に複数の溝または凹部が形成されていることを特徴としている。
【００１５】
また、請求項５に係る発明は、請求項４に係る発明のコーナーパーツにおいて、前記羽根部材が、前記カバー部から幅木または廻り縁の延出方向に張り出しており、その張出部分に複数の前記溝または前記凹部が形成されていることを特徴としている。
【００１６】
また、請求項６に係る発明は、請求項３、４または５に係る発明のコーナーパーツにおいて、前記カバー部の前面に横方向に延びる窪み部が形成されており、その窪み部に前記リブが連結されていることを特徴としている。
【発明の効果】
【００１７】
以上のように、請求項１に係る発明の内壁の端部構造では、コーナーパーツのカバー部に幅木または廻り縁の端部を接着固定した状態で、コーナーパーツの板状部を枠材の切溝に嵌入して、コーナー下地材に被せ、コーナーパーツに接着固定された幅木または廻り縁を下地ボードに固定するようにしたので、内壁の端面側に、寸法調整や位置調整を行わなければならない短い幅木を取り付ける必要がなく、簡単に施工することができる。
【００１８】
また、コーナーパーツにおける内壁の端面側は、コーナー下地材の張出片と共に枠材の切溝に嵌入される薄い板状部であるので、内壁の端面側のコーナーパーツの表面が枠材の表面近くまで張り出すことがなく、全体としてすっきりしたイメージを与えることができると共に、ピボットヒンジでドアを枠材に取り付ける場合であっても、ピボットヒンジがコーナーパーツに当接することがなく、ドアを１８０度開くことができる。
【００１９】
また、請求項３に係る発明のコーナーパーツは、一端側のカバー部との間に幅木の端部を挟み込む羽根部材の基端部が、リブによって一端側のカバー部に連結されているので、幅木または廻り縁の端部をカバー部と羽根部材との間に差し込んで接着固定し、幅木または廻り縁を壁面に釘止めすると、コーナーパーツに掃除機等をぶつけることによって、コーナーパーツ自体が回転する方向に外力が加わっても、その外力によって羽根部材とカバー部とが相対的に開きにくく、コーナーパーツの板状部を枠材の切溝に嵌入するだけで、コーナーパーツの板状部側を内壁の端面に十分に固定することができなくても、コーナーパーツ全体をそのカバー部側だけで内壁における端面のコーナー部に確実に固定することができる。
【００２０】
また、請求項４に係る発明のコーナーパーツは、羽根部材における幅木または廻り縁と接触する面に複数の溝または凹部が形成されているので、その溝または凹部が形成された部分に接着剤を塗布した状態で、幅木または廻り縁の端部をカバー部と羽根部材との間に差し込んで装着すると、複数の溝または凹部が形成された羽根部材のアンカー効果によって、幅木または廻り縁に対する羽根部材の接着力が向上する。従って、コーナーパーツが装着された幅木または廻り縁を壁面に釘止めすると、コーナーパーツに掃除機等をぶつけることによって、コーナーパーツの端部に外力が加わっても、その外力によって、コーナーパーツが幅木または廻り縁から外れることがなく、さらに、コーナーパーツの固定性能が向上する。
【００２１】
また、請求項５に係る発明のコーナーパーツは、羽根部材が、カバー部から幅木または廻り縁の延出方向に張り出しており、その張出部分に複数の溝または凹部が形成されているので、接着剤を塗布しやすいという効果が得られる。
【００２２】
また、請求項６に係る発明のコーナーパーツは、カバー部の前面に横方向に延びる窪み部が形成されており、その窪み部にリブが連結されているので、リブが変形することによって、リブの連結部が白化したとしても、目立ちにくく、体裁を損ねることもない。
【図面の簡単な説明】
【００２３】
【図１】この発明に係る内壁の端部構造の一実施形態を採用した、ドアを取り付けた状態の内壁の壁面開口部を示す正面図である。
【図２】同上の内壁の壁面開口部の縦枠部分を示す部分斜視図である。
【図３】（ａ）は同上の内壁の壁面開口部の縦枠部分を示す部分側面図、（ｂ）は同上の部分正面図である。
【図４】壁仕上材（クロス）を貼着する前の図３（ａ）のＸ−Ｘ線に沿った断面図である。
【図５】図３（ａ）のＹ−Ｙ線に沿った断面図である。
【図６】（ａ）は同上の内壁を構成しているコーナー下地材を示す斜視図、（ｂ）は同上のコーナー下地材を示す端面図である。
【図７】（ａ）は同上のコーナーパーツを示す平面図、（ｂ）は同上のコーナーパーツを示す正面図、（ｃ）は同上のコーナーパーツを示す底面図である。
【図８】（ａ）は同上のコーナーパーツを示す右側面図、（ｂ）は同上のコーナーパーツを示す左側面図である。
【図９】（ａ）、（ｂ）は同上の内壁の端部構造の施工方法を示す工程図である。
【図１０】（ａ）、（ｂ）は同上の内壁の端部構造の施工方法を示す工程図である。
【図１１】同上の内壁の端部構造の施工方法を示す工程図である。
【図１２】（ａ）、（ｂ）は同上の内壁の端部構造の施工方法を示す工程図である。
【図１３】（ａ）、（ｂ）、（ｃ）はコーナーパーツの変形例を示す左側面図である。
【図１４】一般的に採用されている従来の内壁の端部構造を示す断面図である。
【図１５】近年採用され始めた従来の内壁の端部構造を示す断面図である。
【図１６】精度良く形成されていない壁面開口部に枠材を取り付ける場合の内壁の端面と枠材との位置関係を説明するための説明図である。
【図１７】（ａ）、（ｂ）は近年採用され始めた従来の内壁の端部構造の問題点を説明するための断面図である。
【図１８】先願において出願人が提案している内壁の端部構造を示す拡大断面図である。
【図１９】同上の内壁の端部構造に幅木を取り付ける場合の問題点を説明するための断面図である。
【発明を実施するための形態】
【００２４】
以下、実施の形態について図面を参照して説明する。図１は、内壁１０に形成された壁面開口部にドア枠２０を設置し、このドア枠２０に、ピボットヒンジＰＨを介して、ドアＤを取り付けた状態を示している。このドア枠２０は、左右一対の縦枠２１、２１と、この縦枠２１、２１をその上端部で連結する上枠２２とから構成されており、縦枠２１、２１及び上枠２２は、内壁１０の厚みよりも幅狭に形成されている。また、図１〜図３及び図４に示すように、内壁１０における壁面の下端部には、幅木３１が取り付けられており、縦枠２１の両側に位置している内壁１０の出隅部には、幅木３１の端部を覆う樹脂成形品であるコーナーパーツ３３が取り付けられている。
【００２５】
前記内壁１０は、図２及び図５に示すように、壁下地材１１、樹脂成形品である長尺のコーナー下地材１４及び壁仕上材（クロス）１７とから構成されており、縦枠２１が、内壁１０の厚み方向の外側に張り出さないように、内壁１０の開口端面を形成している壁下地材１１の間柱１２にビス止めされていると共に、コーナー下地材１４が、縦枠２１と壁下地材１１の下地ボード（石膏ボード）１３とに取り付けられており、このコーナー下地材１４によって内壁１０における端面側のコーナー部が形成されている。なお、縦枠２１は垂直に設置しなければならないが、間柱１２は精度良く施工されているわけではないので、間柱１２と縦枠２１との間には、必要に応じて、隙間調整部材Ｓが挿入されている。なお、図５においては、分かりやすくするために、幅木３１及びコーナーパーツ３３は省略してある。
【００２６】
前記コーナー下地材１４は、図２、図５及び図６に示すように、略９０度の角度をなすように、相互に連設された一対の張出片１５、１５と、一対の張出片１５、１５の連設部である角部を補強するために、各張出片１５、１５の基端部側からそれぞれ張り出したループ状のリブ１６とを備えており、外面には、パテや壁仕上材（クロス）１７の接着強度を高めるために、長手方向に延びる多数の凹条１５ａが形成されていると共に、その内面に両面粘着テープ（図示せず）が予め貼着されている。なお、このコーナー下地材１４は、内壁１０における端面側のコーナー部に柔らかい印象を与えるために、その角部に丸みを持たせてある。
【００２７】
このコーナー下地材１４は、図５に示すように、一方の張出片１５が、縦枠２１の端面に形成された、幅が約２．５ｍｍ、深さが約１２ｍｍの切溝２１ａに接着剤Ａを充填した状態で遊嵌されていると共に、この張出片１５の内面が切溝２１ａにおける壁下地材１１側の壁面に接触するように、他方の張出片１５の内面側が壁下地材１１を構成している下地ボード１３の表面に両面テープ（図示せず）によって貼着されており、切溝２１ａにおけるコーナーパーツ３３の上側には、合成樹脂によって形成された、切溝２１ａの深さよりも２ｍｍ程度短い幅を有する長尺扁平状のパッキン材Ｆが、切溝２１ａにおける縦枠２１の外面側に形成される隙間に、マイナスドライバー等を利用して切溝２１ａの奥まで圧入されている。
【００２８】
また、張出片１５の先端側は、その厚みが０．１〜０．６ｍｍ程度の薄肉状に形成されているが、下地ボード１３の表面との間には僅かな段差が生じているので、その段差部分をパテＰによって埋めることで、下地慣らしが行われている。
【００２９】
前記コーナーパーツ３３は、図２〜図４、図７（ａ）〜（ｃ）及び図８（ａ）、（ｂ）に示すように、略９０度の角度をなすように、相互に連設された、幅木３１の端部における上面及び正面を覆うカバー部３５及び先端が縦枠２１の切溝２１ａに挿入される板状部３６を備えたパーツ本体３４と、パーツ本体３４における板状部３６の裏面から張り出した、カバー部３５との間に幅木３１の端部を挟み込む羽根部材３７と、羽根部材３７の基端部をカバー部３５に連結するリブ３８とから構成されており、カバー部３５には、幅木３１の正面に形成された溝部３２に嵌合する窪み部３５ａが形成されている。
【００３０】
前記羽根部材３７は、その先端側がカバー部３５から幅木３１の延出方向に張り出しており、その張出部分における幅木３１と接触する面には、複数本の縦溝３７ａが形成されている。
【００３１】
また、羽根部材３７は、その上端縁がカバー部３５の窪み部３５ａと略同一高さに位置しており、カバー部３５に対応する部分の下端縁は、カバー部３５の下端縁に一致しているが、カバー部３５から張り出した部分の下端縁は、先端側に向かって上方側に傾斜している。また、リブ３８は、羽根部材３７の基端部における上端縁と、カバー部３５の窪み部３５ａとを連結している。
【００３２】
また、内壁１０を構成している壁仕上材（クロス）１７は、図５に示すように、下地ボード１３からコーナー下地材１４にわたって貼着されており、コーナー下地材１４側の端縁を縦枠２１の切溝２１ａに挿入した状態で、縦枠２１の外面側に形成された切溝２１ａの隙間部分にコーキング剤Ｃが充填されている。
【００３３】
以下、この内壁１０の端部構造の施工方法について説明する。まず、図９（ａ）に示すように、切溝２１ａに接着剤Ａを充填した後、同図（ｂ）に示すように、コーナー下地材１４の一方の張出片１５を、その内面が切溝２１ａにおける壁下地材１１側の壁面に接触するような状態で、縦枠２１の端面に形成された切溝２１ａに挿入すると共に、他方の張出片１５の内面側を壁下地材１１を構成している下地ボード１３の表面に両面テープによって貼着する。
【００３４】
続いて、図１０（ａ）に示すように、合成樹脂によって形成された、切溝２１ａの深さよりも２ｍｍ程度短い幅を有する長尺扁平状のパッキン材Ｆを、切溝２１ａにおける縦枠２１の外面側に形成される隙間に、マイナスドライバー等を利用して切溝２１ａの奥まで圧入した後、同図（ｂ）に示すように、コーナー下地材１４の他方の張出片１５と、下地ボード１３の表面との間に生じた僅かな段差部分をパテＰによって埋めることで、下地慣らしを行う。なお、パッキン材Ｆを切溝２１ａに圧入する際は、切溝２１ａの下端からコーナーパーツ３３の高さ以上の隙間を開けておく必要がある。
【００３５】
次に、図１１に示すように、コーナーパーツ３３の羽根部材３７の張出部における縦溝３７ａの形成面に接着剤Ａを塗布した状態で、幅木３１の端部をカバー部３５と羽根部材３７との間に差し込むと、図１２（ａ）、（ｂ）に示すように、幅木３１の端面がリブ３８に当接することによって位置決めされ、幅木３１の端部表面を覆った状態で、幅木３１の端部にコーナーパーツ３３が接着固定される。
【００３６】
端部にコーナーパーツ３３が接着固定された幅木３１の裏面に接着剤を塗布した後、コーナーパーツ３３の板状部３６を、縦枠２１の切溝２１ａにおける外面側に形成される隙間に挿入し、幅木３１を壁下地材１１の下地ボード（石膏ボード）１３に釘止めすると、図４に示すように、コーナーパーツ３３が、縦枠２１の両側に位置している内壁１０の出隅部に固定される。
【００３７】
最後に、壁仕上材（クロス）１７を、下地ボード１３側からコーナー下地材１４側に貼着していき、その端縁を縦枠２１の切溝２１ａに挿入した後、図５に示すように、壁仕上材（クロス）１７が挿入された切溝２１ａの隙間部分にコーキング剤Ｃを充填することによって、壁仕上材（クロス）１７の端縁部分を固定する。
【００３８】
以上のように、この内壁１０の端部構造では、コーナーパーツ３３のカバー部３５に幅木３１の端部を接着固定した状態で、コーナーパーツ３３の板状部３６を枠材２１の切溝２１ａに嵌入して、コーナー下地材１４に被せ、コーナーパーツ３３に接着固定された幅木３１を下地ボード１３に固定するようにしたので、内壁１０の端面側に、寸法調整や位置調整を行わなければならない短い幅木を取り付ける必要がなく、簡単に施工することができる。
【００３９】
また、コーナーパーツ３３における内壁１０の端面側は、コーナー下地材１４の張出片１５と共に枠材２１の切溝２１ａに嵌入される薄い板状部３６であるので、内壁１０の端面側のコーナーパーツ３３の表面が枠材２１の表面近くまで張り出すことがなく、全体としてすっきりしたイメージを与えることができると共に、ドアＤを、ピボットヒンジＰＨを介して、枠材２１に取り付ける場合であっても、図４に二点鎖線で示すように、コーナーパーツ３３と略同レベルに設置される下部側のピボットヒンジＰＨのアームがコーナーパーツ３３に当接することがなく、ドアＤを１８０度開くことができる。
【００４０】
また、この内壁１０の端部構造に採用されているコーナーパーツ３３は、一端側のカバー部３５との間に幅木３１の端部を挟み込む羽根部材３７の基端部が、リブ３８によって一端側のカバー部３５に連結されているので、幅木３１の端部をカバー部３５と羽根部材３７との間に差し込んで接着固定し、裏面に接着剤を塗布した状態で幅木３１を壁面に釘止めすると、コーナーパーツ３３に掃除機等をぶつけることによって、コーナーパーツ３３自体が回転する方向に外力が加わっても、その外力によって羽根部材３７とカバー部３５とが相対的に開きにくく、コーナーパーツ３３の板状部３６を枠材２１の切溝２１ａに嵌入するだけで、コーナーパーツ３３の板状部３６側を内壁１０の端面に十分に固定することができなくても、コーナーパーツ３３全体をそのカバー部３５側だけで内壁１０における端面のコーナー部に確実に固定することができる。
【００４１】
特に、このコーナーパーツ３３は、羽根部材３７における幅木３１と接触する面に複数の縦溝３７ａが形成されているので、その縦溝３７ａが形成された部分に接着剤Ａを塗布した状態で、幅木３１の端部をカバー部３５と羽根部材３７との間に差し込んで装着すると、複数の縦溝３７ａが形成された羽根部材３７のアンカー効果によって、幅木３１に対する羽根部材３７の接着力が向上する。従って、コーナーパーツ３３が装着された幅木３１を壁面に釘止めすると、コーナーパーツ３３に掃除機等をぶつけることによって、コーナーパーツ３３の端部に外力が加わっても、その外力によって、コーナーパーツ３３が幅木３１から外れることがなく、十分な固定性能を確保することができる。
【００４２】
また、このコーナーパーツ３３は、羽根部材３７が、カバー部３５から幅木３１の延出方向に張り出しており、その張出部分に複数の縦溝３７ａが形成されているので、羽根部材３７に接着剤を塗布しやすく、幅木３１の装着作業性がよいと共に、カバー部３５の長さを短くすることができるので、コンパクトな印象を与えることができる。
【００４３】
また、樹脂成形品であるコーナーパーツ３３は、パーツ本体３４を構成しているカバー部３５の前面に、幅木３１の正面に形成された溝部３２に嵌合する窪み部３５ａが形成されており、その窪み部３５ａにリブ３８が連結されているので、リブ３８が変形することによって、リブ３８の連結部が白化したとしても、目立ちにくく、体裁を損ねることもない。
【００４４】
なお、上述した実施形態では、羽根部材３７の上端縁がカバー部３５の窪み部３５ａと略同一高さに位置している場合について説明したが、これに限定されるものではなく、例えば、図１３（ａ）に示すように、羽根部材３７の高さをカバー部３５と同一高さに設定し、羽根部材３７をカバー部３５の上面板に連結する構成を採用することもできる。その場合は、同図（ｂ）に示すように、カバー部３５の上面板がリブの役割を果たすことになるので、リブを省略することも可能であり、同図（ｃ）に示すように、羽根部材３７の下端縁をカバー部３５の裏面に連結することも可能である。
【００４５】
また、上述した実施形態では、枠材２１がドア枠の縦枠である場合について説明したが、これに限定されるものではなく、無目枠、開口枠、窓枠、引戸枠等を取り付けた内壁の端部構造についても適用することができることは言うまでもない。
【００４６】
また、上述した実施形態では、幅木用のコーナーパーツについて説明したが、これに限定されるものではなく、廻り縁用のコーナーパーツについても同様の構成を採用することができる。
【産業上の利用可能性】
【００４７】
本発明の内壁の端部構造及びコーナーパーツは、内壁の端面に内壁の壁厚よりも幅狭の無目枠、開口枠、ドア枠、窓枠、引戸枠等の枠材を取り付ける場合に利用することができる。
【符号の説明】
【００４８】
１０  内壁
１１  壁下地材
１２  間柱
１３  下地ボード
１４  コーナー下地材
１５  張出片
１５ａ  凹条
１６  リブ
１７  壁仕上材（クロス）
２０  ドア枠
２１  縦枠
２１ａ  切溝
２２  上枠
３１  幅木
３２  溝部
３３  コーナーパーツ
３４  パーツ本体
３５  カバー部
３５ａ  窪み部
３６  板状部
３７  羽根部材
３７ａ  縦溝
３８  リブ
Ａ  接着剤
Ｃ  コーキング剤
Ｄ  ドア
Ｆ  パッキン材
Ｐ  パテ
ＰＨ  ピボットヒンジ
Ｓ  隙間調整部材
【図１】
0005688796.tif 000002
【図２】
0005688796.tif 000003
【図３】
0005688796.tif 000004
【図４】
0005688796.tif 000005
【図５】
0005688796.tif 000006
【図６】
0005688796.tif 000007
【図７】
0005688796.tif 000008
【図８】
0005688796.tif 000009
【図９】
0005688796.tif 000010
【図１０】
0005688796.tif 000011
【図１１】
0005688796.tif 000012
【図１２】
0005688796.tif 000013
【図１３】
0005688796.tif 000014
【図１４】
0005688796.tif 000015
【図１５】
0005688796.tif 000016
【図１６】
0005688796.tif 000017
【図１７】
0005688796.tif 000018
【図１８】
0005688796.tif 000019
【図１９】
0005688796.tif 000020